(57)【特許請求の範囲】
【請求項１】
オイルフィルタブラケットに形成されている既存のスピンオン式のオイルフィルタのインサートを取り付けるための雌ねじ部に対し螺着可能な雄ねじ部を基端に備え且つその長手方向中途部に鍔部を備えたインサートと、該インサートの基端を挿通可能な孔を底部に有し且つ頂部をエレメントの交換口として開口したフィルタボデーと、該フィルタボデーの底部付近に前記オイルフィルタブラケット側と係止するように凸設されて前記フィルタボデーの回転を阻止する回転防止リブと、前記フィルタボデーの内部に対し交換可能に収容されたエレメントと、前記フィルタボデーの交換口を密封し得るよう前記フィルタボデーの頂部に着脱自在に螺着されたキャップとを備え、前記インサートの基端を前記フィルタボデーの内側から前記孔を通し外側へ突出させて前記オイルフィルタブラケットの雌ねじ部に螺着することにより前記鍔部で前記フィルタボデーの底部を前記オイルフィルタブラケット側に挾圧固定したことを特徴とするオイルフィルタ。
【発明の詳細な説明】
【技術分野】
【０００１】
本発明は、オイルフィルタに関するものである。
【背景技術】
【０００２】
一般的に、自動車等のエンジンに用いられる潤滑用のオイルは、そのエンジン内を循環させて繰り返し何度も使用されることになるが、エンジン内を通る際に、金属同士の摺動部分で生じた金属粉や、シリンダ内での燃焼により生じた煤等のスラッジが混じってしまうので、このようなスラッジをオイルフィルタを通して捕捉することにより潤滑系統から除去する必要があり、この種のオイルフィルタとしては、スピンオン式やセンターボルト式等といった各種の方式のものが知られている。
【０００３】
図５は従来におけるスピンオン式のオイルフィルタの一例を示すもので、ここに図示している如きスピンオン式のオイルフィルタは、底部に雌ねじ部１が形成された中空円柱状のフィルタボデー２内にエレメント３（濾紙）を内蔵した構造となっており、オイルフィルタブラケット４から張り出すインサート５の雄ねじ部６に対し前記フィルタボデー２底部の雌ねじ部１を螺着させることで取り付けられるようになっている。
【０００４】
また、前記インサート５は、基端側にも別の雄ねじ部７が形成されていてオイルフィルタブラケット４の雌ねじ部８に対し螺着されて取り付けられており、また、前記オイルフィルタブラケット４は、図示しないエンジン側のオイル経路上に設けられるようになっている。
【０００５】
このようなスピンオン式のオイルフィルタによれば、オイルフィルタブラケット４から張り出すインサート５に対しフィルタボデー２の底部を宛って回転操作するだけで簡便にフィルタボデー２をエレメント３ごと脱着して交換することができ、その交換作業を極めて簡便に行うことができるというメリットがある。ここで、フィルタボデー２を取り外す際に、フィルタボデー２の頂部にあるドレンボルト９を取り外して内部のオイルを抜き出してから行う必要があることは勿論である。
【０００６】
尚、この種のオイルフィルタに関連する先行技術文献情報としては下記の特許文献１等がある。
【先行技術文献】
【特許文献】
【０００７】
【特許文献１】実開昭５９−１３１９１４号公報
【発明の概要】
【発明が解決しようとする課題】
【０００８】
しかしながら、斯かるスピンオン式のオイルフィルタにおいては、フィルタボデー２ごとエレメント３を交換する方式となっているため、取り外したフィルタボデー２全体が廃棄物となってしまうというデメリットがあり、近年における環境保護への意識の高まりから、廃棄物が少なくなるよう中身のエレメント３だけを交換できる方式への変更を望むユーザーの声も増えてきている。
【０００９】
一方、既存のセンターボルト式のオイルフィルタ（例えば上記の特許文献１等を参照）は、中身のエレメントだけを交換できる方式となっているが、エレメントを内蔵したフィルタボデーの頂部からセンターボルトを貫き通してオイルフィルタブラケットに取り付ける方式となっており、エレメントを交換するのにフィルタボデーを一旦取り外さなければならないため、エレメントの交換作業に手間がかかるというデメリットがある。
【００１０】
本発明は上述の実情に鑑みてなしたもので、フィルタボデーを取り外すことなく中身のエレメントだけを極めて簡便に交換し得るオイルフィルタを提供することを目的とする。
【課題を解決するための手段】
【００１１】
本発明は、オイルフィルタブラケットに形成されている既存のスピンオン式のオイルフィルタのインサートを取り付けるための雌ねじ部に対し螺着可能な雄ねじ部を基端に備え且つその長手方向中途部に鍔部を備えたインサートと、該インサートの基端を挿通可能な孔を底部に有し且つ頂部をエレメントの交換口として開口したフィルタボデーと、該フィルタボデーの底部付近に前記オイルフィルタブラケット側と係止するように凸設されて前記フィルタボデーの回転を阻止する回転防止リブと、前記フィルタボデーの内部に対し交換可能に収容されたエレメントと、前記フィルタボデーの交換口を密封し得るよう前記フィルタボデーの頂部に着脱自在に螺着されたキャップとを備え、前記インサートの基端を前記フィルタボデーの内側から前記孔を通し外側へ突出させて前記オイルフィルタブラケットの雌ねじ部に螺着することにより前記鍔部で前記フィルタボデーの底部を前記オイルフィルタブラケット側に挾圧固定したことを特徴とするオイルフィルタ、に係るものである。
【００１２】
而して、フィルタボデー内にエレメントを入れる前にインサートを先に入れ、該インサートの基端をフィルタボデーの内側から前記孔を通し外側へ突出させ、その突出させたインサートの基端をオイルフィルタブラケットの雌ねじ部に螺着させると、前記インサートの鍔部により前記フィルタボデーの底部が前記オイルフィルタブラケット側に挾圧固定され、前記フィルタボデーのオイルフィルタブラケットへの取り付けが完了するので、斯かる状態で前記フィルタボデー内に交換口からエレメントを入れて収容させ、前記フィルタボデーの頂部にキャップを螺着して前記交換口を密封すると、オイルフィルタが組み上がることになる。
【００１３】
然る後、経時的な劣化によりエレメントの交換が必要となった時には、オイルフィルタブラケットにフィルタボデーを取り付けた状態のままキャップを回転操作して取り外し、これにより開口するフィルタボデーの交換口からエレメントだけを取り出して新しいエレメントと交換することが可能であり、該エレメントの交換後においては、再びキャップを前記フィルタボデーの頂部に螺着して前記交換口を密封することが可能である。
【００１４】
また、本発明においては、既にスピンオン式のオイルフィルタを採用している仕様から変更するにあたり、現状のオイルフィルタブラケットに変更を加えることなくインサートを付け替えるだけで容易に変更することが可能となり、また、ユーザーがスピンオン式のオイルフィルタと本発明のオイルフィルタとを自分の好みに合わせて任意に選択することが可能となる。
【発明の効果】
【００１５】
上記した本発明のオイルフィルタによれば、下記の如き種々の優れた効果を奏し得る。
【００１６】
（Ｉ）本発明の請求項１に記載の発明によれば、フィルタボデーを取り外すことなく中身のエレメントだけを極めて簡便に交換することができるので、従来のスピンオン式と変わらない交換作業の簡便さを保ちながら廃棄物を大幅に減らすことができ、交換作業が簡便で且つ環境に優しいオイルフィルタを実現することができる。
【００１７】
（ＩＩ）本発明の請求項１に記載の発明によれば、既にスピンオン式のオイルフィルタを採用している仕様からでもインサートを付け替えるだけで容易に変更することができ、しかも、ユーザーがスピンオン式のオイルフィルタと本発明のオイルフィルタとを自分の好みに合わせて任意に選択することができる。
【図面の簡単な説明】
【００１８】
【図１】本発明を実施する形態の一例を分解状態で示す斜視図である。
【図２】図１のオイルフィルタの内部構造の詳細を示す断面図である。
【図３】図１のオイルフィルタを下向きに直立させた状態で示す斜視図である。
【図４】フィルタボデーの回り止めについて説明する正面図である。
【図５】従来のスピンオン式のオイルフィルタの一例を示す斜視図である。
【発明を実施するための形態】
【００１９】
以下本発明の実施の形態を図面を参照しつつ説明する。
【００２０】
図１〜図４は本発明を実施する形態の一例を示すもので、図５と同一の符号を付した部分は同一物を表わしている。
【００２１】
図１及び図２に示す如く、本形態例においては、前述した既存のスピンオン式のオイルフィルタのインサート５（図５参照）を取り付けるための雌ねじ部８を備えたオイルフィルタブラケット４に対して適用した場合を例示しており、該オイルフィルタブラケット４の雌ねじ部８に対し螺着可能な雄ねじ部１０を基端に備え且つその長手方向中途部に鍔部１１を備えたインサート１２と、該インサート１２の基端を挿通可能な孔１３を底部に有し且つ頂部をエレメント１４の交換口１５として開口したフィルタボデー１６と、該フィルタボデー１６の内部に対し交換可能に収容されたエレメント１４と、前記フィルタボデー１６の交換口１５を密封し得るよう前記フィルタボデー１６の頂部に着脱自在に螺着されたキャップ１７とにより新規なオイルフィルタ１８が構成されるようになっている。
【００２２】
図２に示す如く、フィルタボデー１６のオイルフィルタブラケット４への取り付けは、インサート１２の基端を前記フィルタボデー１６の内側から底部の孔１３を通し外側へ突出させて前記オイルフィルタブラケット４の雌ねじ部８に螺着することにより、前記インサート１２の中途部にある鍔部１１で前記フィルタボデー１６の底部を前記オイルフィルタブラケット４側に挾圧固定して行われるようになっている。
【００２３】
尚、インサート１２の基端の雄ねじ部１０をオイルフィルタブラケット４の雌ねじ部８に螺着するにあたっては、例えば、前記鍔部１１の外周形状を六角形状を成すように形成しておき、レンチ工具により前記鍔部１１を介し前記インサート１２を回転操作して捩じ込むようにすれば良い。
【００２４】
ここで、フィルタボデー１６の底部付近における外周部の二箇所には、回転防止リブ１９が夫々凸設されており（図３参照）、図１及び図４に示す如く、オイルフィルタブラケット４の雌ねじ部８の外周囲に部分的に形成されている円弧状の回転防止ストッパ２０に対し前記各回転防止リブ１９が係止されてフィルタボデー１６の回転が阻止されるようになっている。
【００２５】
また、フィルタボデー１６内には、キャップ１７を取り外した状態で交換口１５からエレメント１４を入れて適切な位置にセットし、然る後に、前記フィルタボデー１６の交換口１５近傍の内周面に形成した雌ねじ部２１に対し、前記キャップ１７の外周面に形成した雄ねじ部２２を螺着して前記交換口１５（図１参照）を密封するようにしてある。
【００２６】
一方、図２に示す如く、オイルはオイルフィルタブラケット４側の入側油通路２３からフィルタボデー１６底部の連絡孔２４を介し前記フィルタボデー１６内の外周部分に導かれ、エレメント１４を通過してスラッジを除去された後に前記エレメント１４の内部空間からインサート１２の軸心部分を通しオイルフィルタブラケット４側の出側油通路２５へと排出されるようになっている。
【００２７】
尚、図中における符号の２６はフィルタボデー１６の底部外周に形成されたリング溝、２７は該リング溝２６に嵌入されたＯリング、２８はエレメント１４の交換時にフィルタボデー１６内部のオイルをキャップ１７の頂部から抜き出すためのドレンボルトを示している。
【００２８】
而して、フィルタボデー１６内にエレメント１４を入れる前にインサート１２を先に入れ、該インサート１２の基端をフィルタボデー１６の内側から底部の孔１３を通し外側へ突出させ、その突出させたインサート１２の基端をオイルフィルタブラケット４の雌ねじ部８に螺着させると、前記インサート１２の鍔部１１により前記フィルタボデー１６の底部が前記オイルフィルタブラケット４側に挾圧固定され、前記フィルタボデー１６のオイルフィルタブラケット４への取り付けが完了するので、斯かる状態で前記フィルタボデー１６内に交換口１５からエレメント１４を入れて収容させ、前記フィルタボデー１６の頂部にキャップ１７を螺着して前記交換口１５を密封すると、オイルフィルタ１８が組み上がることになる。
【００２９】
然る後、経時的な劣化によりエレメント１４の交換が必要となった時には、オイルフィルタブラケット４にフィルタボデー１６を取り付けた状態のままキャップ１７を回転操作して取り外し、これにより開口するフィルタボデー１６の交換口１５からエレメント１４だけを取り出して新しいエレメント１４と交換することが可能であり、該エレメント１４の交換後においては、再びキャップ１７を前記フィルタボデー１６の頂部に螺着して前記交換口１５を密封することが可能である。
【００３０】
従って、上記形態例によれば、フィルタボデー１６を取り外すことなく中身のエレメント１４だけを極めて簡便に交換することができるので、従来のスピンオン式と変わらない交換作業の簡便さを保ちながら廃棄物を大幅に減らすことができ、交換作業が簡便で且つ環境に優しいオイルフィルタを実現することができる。
【００３１】
また、特に本形態例においては、既存のスピンオン式のオイルフィルタのインサート１２を取り付けるための雌ねじ部８を備えたオイルフィルタブラケット４に対して適用しており、オイルフィルタブラケット４の雌ねじ部８が、既存のスピンオン式のオイルフィルタのインサート５（図５参照）を取り付けるための雌ねじ部８としても共用し得るようになっているので、既にスピンオン式のオイルフィルタを採用している仕様から変更するにあたり、現状のオイルフィルタブラケット４に変更を加えることなくインサート１２を付け替えるだけで容易に変更することができ、また、ユーザーがスピンオン式のオイルフィルタと本形態例のオイルフィルタ１８とを自分の好みに合わせて任意に選択することができる。
【００３２】
尚、本発明のオイルフィルタは、上述の形態例にのみ限定されるものではなく、本発明の要旨を逸脱しない範囲内において種々変更を加え得ることは勿論である。
【符号の説明】
【００３３】
４  オイルフィルタブラケット
１０  雄ねじ部
１１  鍔部
１２  インサート
１３  孔
１４  エレメント
１５  交換口
１６  フィルタボデー
１７  キャップ
１８  オイルフィルタ
【図１】
0005826584.tif 000002
【図２】
0005826584.tif 000003
【図３】
0005826584.tif 000004
【図４】
0005826584.tif 000005
【図５】
0005826584.tif 000006